(57)【要約】【目的】本発明は、騒音を低減した機構部及び、該機構部を使用した画像形成装置を提供することを目的とする。【構成】可動部２１と、該可動部２１との当接時の衝撃を吸収するクッション材２８を有するストッパ２７と、を有する機構部において、前記可動部２１のクッション材２８と当接する接触面２１ａ，２１ｂに突出部２１ｃを設けた構成とした。また、転写紙Ｓに転写されたトナーを溶融して転写紙Ｓに定着する加熱ローラ１１１を有する定着装置１１を備えた画像形成装置１において、該加熱ローラ１１１のクリーニングを行うクリーニングウェブ１１３の巻取り機構が上記機構部である構成とした。【選択図】        図１
2004212428.tif 000002
【特許請求の範囲】
【請求項１】
可動部と、該可動部との当接時の衝撃を吸収するクッション材を有するストッパと、を有する機構部において、前記可動部のクッション材と当接する接触面に突出部を設けたことを特徴とする機構部。
【請求項２】
前記突出部は、先細形状であることを特徴とする請求項１記載の機構部。
【請求項３】
前記突出部の断面の形状は、円弧状であることを特徴とする請求項１又は２記載の機構部。
【請求項４】
前記突出部の断面の形状は、三角形又は台形であることを特徴とする請求項１から３のいずれかに記載の機構部。
【請求項５】
前記クッション材は、永久歪の少ない素材であることを特徴とする請求項１から４のいずれかに記載の機構部。
【請求項６】
転写紙に転写されたトナーを溶融して転写紙に定着する加熱ローラを有する定着装置を備えた画像形成装置において、該加熱ローラのクリーニングを行うクリーニングウェブの巻取り機構が、請求項１から５のいずれかに記載の機構部であることを特徴とする画像形成装置。
【発明の詳細な説明】
【０００１】
【産業上の利用分野】
本発明は、可動部とストッパとを有する機構部の衝撃音低減に関する。
【０００２】
【従来の技術】
画像形成装置は、樹脂又は金属等で形成された可動部と、樹脂又は金属等で形成され可動部の可動範囲を決めるストッパと、からなる機構部を複数有している。これらは剛体であるため、そのままでは可動部とストッパが当接した時の衝撃音が生じる。そのため、ストッパにクッション材又はばねのような、衝撃吸収材等を取り付け可動部とストッパが当接した時の衝撃音を低減するのが一般的である（例えば、特許文献１参照）。
【０００３】
【特許文献１】
実開平３−５６９４５号公報
【０００４】
【発明が解決しようとする課題】
しかし、ドイツの環境保護規格である「ブルーエンジェル」の変更や、市場からの要求等の理由により、画像形成装置の動作時の騒音をさらに低減させる必要がでてきた。
【０００５】
そこで、本発明は、騒音を低減した機構部及び、該機構部を使用した画像形成装置の提供を目的とする。
【０００６】
【課題を解決するための手段】
上記目的を達成するために、本発明の機構部は、可動部と、該可動部との当接時の衝撃を吸収するクッション材を有するストッパと、を有する機構部において、前記可動部のクッション材と当接する接触面に突出部を設けた構成を特徴としている。
【０００７】
前記突出部は先細形状であることとしたり、前記突出部の断面の形状は、円弧状であることとしたり、前記突出部の断面の形状は、三角形又は台形である構成としたり、前記クッション材は、永久歪の少ない素材であることとすることもできる。
【０００８】
上記目的を達成するために、本発明の画像形成装置は、転写紙に転写されたトナーを溶融して転写紙に定着する加熱ローラを有する定着装置を備えた画像形成装置において、該加熱ローラのクリーニングを行うクリーニングウェブの巻取り機構が本発明の機構部である構成とした。
【０００９】
【作用】
可動部が動いてストッパに当接するが、この時、最初に突出部がクッション材に当り、クッション材が押しつぶされることによって衝撃を吸収する。その後、可動部がストッパに当接して停止するため、衝撃音を小さくすることができる。
【００１０】
突出部が先細であったり、断面が円弧状であったり、三角形や台形となっていれば、衝撃の吸収がされ易く、騒音防止の効果が大きい。また、この機構部をクリーニングウェブの巻取り機構に用いると、コピー中の騒音を低減することが可能となる。
【００１１】
【発明の実施の形態】
次に本発明の画像形成装置を、図面を基に説明する。図１は、本発明の画像形成装置の構成図である。画像形成装置１は、原稿を読み取る原稿読取装置２と、原稿読取装置２で読み取った画像を転写紙Ｓ上にトナー画像として形成する画像形成部３及び、転写紙Ｓを画像形成部３へ供給する給紙カセット４と、を有している。
【００１２】
このうち、画像形成部３は、感光体ドラム５を中心としてその周囲に、当該感光体ドラム５を一様に帯電させる帯電装置６、原稿読取装置２で読み取った画像を感光体ドラム５に静電潜像として形成する像露光装置７、静電潜像をトナー画像として顕像化させる現像装置８、給紙カセット４から搬送された転写紙Ｓにトナー画像を転写する転写装置９及び、転写後に感光体ドラム５に残ったトナーを回収するクリーニング装置１０が配置されている。また、画像形成部３には定着装置１１もあり、転写紙Ｓに転写されたトナー画像は、定着装置１１によって加熱されて溶融し、転写紙Ｓに定着する。
【００１３】
定着装置１１は、内部にトナーを加熱するための加熱ローラ１１１と、転写紙Ｓを加熱ローラ１１１に圧接する加圧ローラ１１２と、を有する。加熱ローラ１１１は、トナーに直接触れるものであるため、トナーが加熱ローラ１１１に付着するオフセットという現象が生じることがある。また、転写紙Ｓの紙粉がわずかながら付着することもある。これらは、転写紙Ｓに形成される画像の品質劣化の一因となり得るので、トナーと紙粉を取り除くための専用のクリーニングウェブ１１３が加熱ローラ１１１の上方に配置されている。
【００１４】
クリーニングウェブ１１３は、軸心に巻かれたシートであり、その幅は加熱ローラ１１１の長さとほぼ等しくなっている。ガイドローラ１１４は、ウェブ１１３を加熱ローラ１１１に圧接するためのものである。ガイドローラ１１４によって加熱ローラ１１１に圧接されたウェブ１１３は、加熱ローラ１１１に付着したトナーや紙粉を吸着した後、巻取り軸１１５に巻き取られていく。ウェブ１１３は巻取り軸１１５によって、画像形成を一定回数行うたびに数十マイクロメートルだけ巻き取られていく。この巻取り軸１１５による巻き取りを行う巻取り機構部には、モータを使用する場合があるが、次に示すような巻取りレバーを使用すると、構造が容易であるという利点がある。
【００１５】
図２は、巻取り軸１１５を駆動するための巻取り機構部を示した図である。ケース２０の内側には、クリーニングウェブ１１３、ガイドローラ１１４及び巻取り軸１１５が収納されており、その下に加熱ローラ１１１等が配置されている。図２で示した巻取り機構部は、ケース２０の外側に設けられている。巻取りレバー２１は、樹脂等で形成された板状の剛体であり、軸２２に回動可能に取り付けられた可動部である。巻取りレバー２１は図示しないソレノイドによって、図の矢印で示すように上下に回動する。巻取りレバー２１の上下動は、該巻取りレバー２１に取り付けられた爪２３と、軸２２に固定されたギア２４からなるワンウェイクラッチによって、歯車２５を一定方向に回転させる。そして、歯車２５の回転は、複数の減速歯車２６を介して巻取り軸１１５に伝達される。以上のような構造によって、巻取りレバー２１が１回上下するごとに、ウェブ１１３が数十マイクロメートルずつ巻き取られていく。
【００１６】
このような巻取り機構部のうち、巻取りレバー２１がストッパに衝突する時の衝突音が、画像形成装置１の騒音の一因となっている。
図３は、巻取りレバー２１とストッパの関係を示す図である。ストッパ２７は金属等を円柱に形成した剛体である。このストッパ２７としては、減速歯車２６を取り付けた軸を利用することも可能である。
【００１７】
クッション材２８は、巻取りレバー２１とストッパ２７という剛体同士が当接した場合の衝撃音を抑えるために、巻取りレバー２１とストッパ２７の間に設けられている。素材としては、ゴム等の弾性体であればよく、永久歪みが少ない物を使用すると、クッションの効果が長期間持続する。
【００１８】
図３で示したように、巻取りレバー２１は、ストッパ２７によって、回動できる範囲を制限されている。すなわち、巻取りレバー２１が矢印下へ向かって回動し、図３の実線で示す位置になったときには、接触面２１ａがクッション材２８に当接し、それより下へ動くことはない。また、巻取りレバー２１が矢印上に向かって回動し、図３の仮想線で示した状態になったときには、巻取りレバー２１の下部にある接触面２１ｂが、クッション材２８に当接するので、それ以上回動することがない。
【００１９】
図４は、図３のＡ−Ａ断面図である。巻取りレバー２１には、クッション材２８と当接する接触面２１ａに、先細形状になった突出部２１ｃがある。突出部２１ｃは、クッション材２８と接触する部分に形成されている。これは一本のリブとして形成してもよいし、四角錐又は円錐等を１つ又は複数形成してもよい。
【００２０】
従来の巻取りレバーにはこのような突出部は形成されておらず、巻取りレバーの衝撃がクッション材に一度に伝わり、それが騒音の一因となっていた。本発明は、図４（ａ）のように巻取りレバー２１とクッション材２８が離れている状態から、図４（ｂ）のように当接した状態になる時に、次のようにして衝撃音を小さくしている。まず突出部２１ｃがクッション材２８に当接し、クッション材２８が押しつぶされながら衝撃を吸収する。その後、接触面２１ａが当接するが、この時の衝撃力は、突出部２１ｃによって吸収された分だけ小さくなっており、結果として衝撃音は低減されることとなる。このような、突出部２１ｃは、図３で示した接触面２１ｂにも形成されているので、巻取りレバー２１が上向きに回動した場合にも衝撃音が低減される。
【００２１】
図５は、巻取りレバー２１の第２実施例で、図６は第３実施例である。図５では、巻取りレバー２１の突出部２１ｃは、断面が三角形となるように形成されている。これも図４の第１実施例と同様に、一本の直線状のリブとして形成してもよいし、四角錐や円錐を１つ又は複数形成したものでもよい。また、断面を三角形ではなく台形にしてもよい。このような形状であっても、巻取りレバー２１の運動エネルギーを段階的に吸収することができるので衝撃力を抑え、衝撃音を低減することが可能である。
【００２２】
図６では、突出部２１ｃの断面が円弧になっている。これも、上記の実施例のように、直線状のリブとして形成してもよいし、半球を１つ又は複数形成したものであってもよい。このような形状であれば、衝撃音が低減されるとともに、クッション材２８の傷みが少なくなるという効果もある。
【００２３】
なお、画像形成装置１が有する機構部は、上記のようなウェブ巻取り機構部だけではなく、例えばドアの開閉部や転写紙Ｓの搬送路を切り換える搬送路切換機構等もある。本発明は、そのような機構部にも適用が可能である。
【００２４】
【発明の効果】
以上のように本発明の機構部によると、可動部と、該可動部との当接時の衝撃を吸収するクッション材を有するストッパと、を有する機構部において、前記可動部のクッション材と当接する接触面に突出部を設けたことで、当接時の騒音を低減することができる。
【００２５】
前記クッション材は、永久歪の少ない素材である構成とすることで、騒音低減の効果を持続させることができる。
【００２６】
以上のように本発明の画像形成装置によると、転写紙に転写されたトナーを溶融して転写紙に定着する加熱ローラを有する定着装置を備えた画像形成装置において、該加熱ローラのクリーニングを行うクリーニングウェブの巻取り機構が、本発明の機構部である構成とすることで、クリーニング動作時の騒音を低減することができる。
【図面の簡単な説明】
【図１】本発明の画像形成装置の構成図である。
【図２】巻き取り軸を駆動するための巻取り機構部を示した図である。
【図３】巻取りレバーとストッパの関係を示す図である。
【図４】図３のＡ−Ａ断面図である。
【図５】巻取りレバーの第２実施例を示す図である。
【図６】巻取りレバーの第３実施例を示す図である。
【符号の説明】
１１            定着装置
２１            巻取りレバー（可動部）
２１ａ，２１ｂ  接触面
２１ｃ          突出部
２７            ストッパ
２８            クッション材
１１１          加熱ローラ
Ｓ              転写紙
【図１】
2004212428.tif 000003
【図２】
2004212428.tif 000004
【図３】
2004212428.tif 000005
【図４】
2004212428.tif 000006
【図５】
2004212428.tif 000007
【図６】
2004212428.tif 000008